(57)【要約】【課題】生体情報の測定の利便性を向上可能な測定装置、測定方法、および測定装置を備える電子機器を提供する。【解決手段】被検部位を接触部１６に接触させて生体情報を測定する測定装置１０は、生体測定出力を取得する測定部１２と、被検部位の接触圧力を検出する圧力検出部１１と、生体測定出力に基づいて生体情報を測定するとともに、入力された音声情報に基づく処理を行う制御部１３と、を備えている。制御部１３は、生体情報の測定を開始する旨の音声情報が入力された際、圧力検出部１１が検出する接触部１６における被検部位の接触圧力が所定の条件を満たしている場合は、生体情報の測定を開始するように制御し、圧力検出部１１が検出する接触部１６における被検部位の接触圧力が所定の条件を満たしていない場合は、接触部１６における被検部位の接触圧力についての音声情報を出力するように制御する。【選択図】図１
2016007504.tif 000002
【特許請求の範囲】
【請求項１】
被検部位を接触部に接触させて生体情報を測定する測定装置であって、
前記被検部位から生体測定出力を取得する測定部と、
前記接触部における前記被検部位の接触圧力を検出する圧力検出部と、
前記生体測定出力に基づいて前記生体情報を測定するとともに、入力された音声情報に基づく処理を行う制御部と、
を備え、
前記制御部は、前記生体情報の測定を開始する旨の音声情報が入力された際、前記圧力検出部が検出する前記接触部における前記被検部位の接触圧力が所定の条件を満たしている場合は前記測定を開始するように制御し、当該被検部位の接触圧力が所定の条件を満たしていない場合は前記接触部における前記被検部位の接触圧力についての音声情報を出力するように制御する、測定装置。
【請求項２】
前記制御部は、前記生体情報の測定を開始する旨の音声情報が入力された際、前記接触部に前記被検部位が接触していない場合は、前記生体情報の測定を開始する操作入力に基づいて当該測定を開始するように制御する、測定装置。
【請求項３】
請求項１または２に記載の測定装置を備える電子機器。
【請求項４】
被検部位を接触部に接触させて生体情報を測定する測定システムであって、
前記被検部位から生体測定出力を取得する測定部と、
前記接触部における前記被検部位の接触圧力を検出する圧力検出部と、
音声情報を検出する音声入力部と、
音声情報を出力する通知部と、
前記生体測定出力に基づいて前記生体情報を測定するとともに、前記音声入力部に入力された音声情報に基づく処理を行う制御部と、
を備え、
前記制御部は、前記生体情報の測定を開始する旨の音声情報が前記音声入力部に入力された際、前記圧力検出部が検出する前記接触部における前記被検部位の接触圧力が所定の条件を満たしている場合は前記測定を開始するように制御し、当該被検部位の接触圧力が所定の条件を満たしていない場合は前記接触部における前記被検部位の接触圧力についての音声情報を前記通知部から出力するように制御する、測定システム。
【請求項５】
被検部位を接触部に接触させて生体情報を測定する測定方法であって、
前記被検部位から生体測定出力を取得する取得ステップと、
前記接触部における前記被検部位の接触圧力を検出する圧力検出ステップと、
前記生体測定出力に基づいて前記生体情報を測定するとともに、入力された音声情報に基づく処理を行う制御ステップと、
を含み、
前記制御ステップにおいて、前記生体情報の測定を開始する旨の音声情報が入力された際、前記圧力検出ステップにおいて検出される前記接触部における前記被検部位の接触圧力が所定の条件を満たしている場合は前記測定を開始するように制御し、当該被検部位の接触圧力が所定の条件を満たしていない場合は前記接触部における前記被検部位の接触圧力についての音声情報を出力するように制御する、測定方法。
【発明の詳細な説明】
【技術分野】
【０００１】
本発明は、測定装置、測定システム、測定方法、および測定装置を備える電子機器に関するものである。
【背景技術】
【０００２】
従来、被検者（ユーザ）の指先等の被検部位から生体出力情報を取得して、生体情報を測定する測定装置が知られている。例えば、生体情報として血流を測定する血流測定装置は、レーザ光を指先に照射し、指先の毛細血管の血流からの散乱光に基づいて血流を測定する（例えば、特許文献１参照）。
【０００３】
ところで、指先の毛細血管の状態は、測定装置への接触状態によって変化する。すなわち、指先から測定装置にかかる圧力が、適正な範囲よりも強い場合または弱い場合には、血流を正確に測定できない。したがって、生体情報を正確に測定するためには、被検部位を適切に測定装置に接触させることが必要である。そのため、従来は、被検部位を固定するための固定機構を使用したり、テーピング等によって指先と測定装置との接触状態を固定したりする等、接触状態を安定させる手段を使用している。
【先行技術文献】
【特許文献】
【０００４】
【特許文献１】実公平３−２１２０８号公報
【発明の概要】
【発明が解決しようとする課題】
【０００５】
生体情報の測定装置を携帯電話機等の電子機器に搭載する場合には、電子機器の構造的な特徴から、従来のような接触状態を安定させる手段を適用することが困難な場合がある。かかる手段を使用しない場合には、被検部位の接触状態は、ユーザによる測定装置への接触の加減によって変化するため、生体情報を正確に測定できなくなる。そこで、かかる手段を使用しなくても、生体情報の測定精度が向上できれば、ユーザにとっての利便性は高まる。
【０００６】
かかる事情に鑑みてなされた本発明の目的は、生体情報の測定の利便性を向上可能な測定装置、測定システム、測定方法、及び測定装置を備える電子機器を提供することにある。
【課題を解決するための手段】
【０００７】
上記課題を解決するため、本発明に係る測定装置は、
被検部位を接触部に接触させて生体情報を測定する測定装置であって、
前記被検部位から生体測定出力を取得する測定部と、
前記接触部における前記被検部位の接触圧力を検出する圧力検出部と、
前記生体測定出力に基づいて前記生体情報を測定するとともに、入力された音声情報に基づく処理を行う制御部と、
を備え、
前記制御部は、前記生体情報の測定を開始する旨の音声情報が入力された際、前記圧力検出部が検出する前記接触部における前記被検部位の接触圧力が所定の条件を満たしている場合は前記測定を開始するように制御し、当該被検部位の接触圧力が所定の条件を満たしていない場合は前記接触部における前記被検部位の接触圧力についての音声情報を出力するように制御する。
【０００８】
前記制御部は、前記生体情報の測定を開始する旨の音声情報が入力された際、前記接触部に前記被検部位が接触していない場合は、前記生体情報の測定を開始する操作入力に基づいて当該測定を開始するように制御してもよい。
【０００９】
また、本発明は上述した測定装置を備える電子機器としても実現し得る。
【００１０】
また、本発明は上述した測定装置に実質的に相当するシステムおよび方法としても実現し得るものであり、本発明の範囲にはこれらも包含されるものと理解されたい。
【００１１】
例えば、本発明に係る測定システムは、
被検部位を接触部に接触させて生体情報を測定する測定システムであって、
前記被検部位から生体測定出力を取得する測定部と、
前記接触部における前記被検部位の接触圧力を検出する圧力検出部と、
音声情報を検出する音声入力部と、
音声情報を出力する通知部と、
前記生体測定出力に基づいて前記生体情報を測定するとともに、前記音声入力部に入力された音声情報に基づく処理を行う制御部と、
を備え、
前記制御部は、前記生体情報の測定を開始する旨の音声情報が前記音声入力部に入力された際、前記圧力検出部が検出する前記接触部における前記被検部位の接触圧力が所定の条件を満たしている場合は前記測定を開始するように制御し、当該被検部位の接触圧力が所定の条件を満たしていない場合は前記接触部における前記被検部位の接触圧力についての音声情報を前記通知部から出力するように制御する。
【００１２】
また、本発明に係る測定方法は、
被検部位を接触部に接触させて生体情報を測定する測定方法であって、
前記被検部位から生体測定出力を取得する取得ステップと、
前記接触部における前記被検部位の接触圧力を検出する圧力検出ステップと、
前記生体測定出力に基づいて前記生体情報を測定するとともに、入力された音声情報に基づく処理を行う制御ステップと、
を含み、
前記制御ステップにおいて、前記生体情報の測定を開始する旨の音声情報が入力された際、前記圧力検出ステップにおいて検出される前記接触部における前記被検部位の接触圧力が所定の条件を満たしている場合は前記測定を開始するように制御し、当該被検部位の接触圧力が所定の条件を満たしていない場合は前記接触部における前記被検部位の接触圧力についての音声情報を出力するように制御する。
【発明の効果】
【００１３】
本発明によれば、生体情報の測定の利便性を向上可能な測定装置、測定システム、測定方法、および測定装置を備える電子機器を提供することができる。
【図面の簡単な説明】
【００１４】
【図１】本発明の実施形態に係る測定装置の概略構成を示すブロック図である。
【図２】測定装置の使用状態の一例を示す図である。
【図３】本発明の実施形態に係る測定装置の動作を説明するフローチャートである。
【図４】図１の測定装置を搭載した携帯電話機の一例を示す図である。
【図５】本発明をシステムとして実現した場合における測定端末とサーバとの概略構成の一例を示すブロック図である。
【発明を実施するための形態】
【００１５】
以下、本発明の一実施形態について、図面を参照して詳細に説明する。
【００１６】
図１は、本発明の一実施形態に係る測定装置の概略構成を示すブロック図である。図１に示すように、測定装置１０は、圧力検出部１１、測定部１２、制御部１３、通知部１４、記憶部１５、接触部１６、表示部１７、振動部１８、通信部１９、および音声入力部２０を備える。
【００１７】
測定装置１０は、例えば生体センサなどで構成する測定部１２を使用して、接触部１６に接触する被検者（ユーザ）の生体測定出力を取得し、生体測定出力に基づいて生体情報を測定する。図２は、測定装置１０の使用状態の一例を示す図であり、ユーザが、測定装置１０に被検部位である手の指を押し当てた状態を示す図である。測定装置１０は、図２のように指が接触部１６に押し当てられた状態において、測定部１２を使用して生体測定出力を取得し、生体情報を測定するように構成することができる。しかしながら、測定装置１０による生体情報の測定は、このような構成の例に限定されない。
【００１８】
測定装置１０が測定部１２において生体測定出力を取得する際には、接触部１６に接触する指（被検部位）の接触圧力について、取得に適した適正圧力の範囲が存在する場合がある。すなわち、接触部１６における接触圧力が強すぎる場合または弱すぎる場合に、例えば被検部位が圧力の影響を受けたり、ノイズの影響を受けたりすることにより、正確な生体測定出力を取得できない場合がある。正確な生体測定出力を取得できないと、精度の高い生体情報を測定が困難となる。
【００１９】
そこで、本実施形態における測定装置１０は、圧力検出部１１において、接触部１６に接触する被検部位の接触圧力を検出するようにできる。この場合、測定装置１０は、制御部１３において、接触圧力が所定の範囲のときの生体測定出力に基づいて、生体情報を測定するのが好適である。このとき、測定装置１０は、接触圧力に関する情報を通知部１４から通知する。かかる通知により、ユーザは、接触圧力が所定の範囲、例えば生体情報の測定に適した適正範囲にあるか否か、および、接触圧力が所定の範囲の圧力よりも強いかまたは弱いか等、接触圧力に関する情報を知ることができる。特に、本実施形態においては、接触圧力が所定の範囲の圧力よりも強いかまたは弱いか等、接触圧力に関する情報が、通知部１４を経て音声情報により出力される。これにより、ユーザは、測定装置１０から発される音声によって、接触圧力が強すぎるまたは弱すぎるなどの情報を得ることができる。
【００２０】
なお、測定装置１０が測定する生体情報は、測定部１２を使用して測定可能な任意の生体情報とすることができるが、本実施形態の説明においては、一例として、測定装置１０は、生体情報として被検者の血流量を測定するとして、以下説明を行う。
【００２１】
圧力検出部１１は、接触部１６における被検部位の接触圧力を検出する。圧力検出部１１は、例えば、圧電素子により構成される。圧力検出部１１は、制御部１３に接続されており、検出した圧力信号を制御部１３に送信する。
【００２２】
測定部１２は、上述のように生体センサなどで構成され、被検部位から生体測定出力を取得する。本実施形態のように、測定装置１０が血流量を測定する場合、測定部１２は、例えば照射部２１と受光部２２とを有する。照射部２１は、接触部１６に接触する被検部位に測定光を照射する。照射部２１は、例えば、血液中に含まれる所定の成分を検出可能な波長のレーザ光を測定光として照射するレーザ光源であり、例えばＬＤ（レーザダイオード：Laser Diode）により構成される。また、受光部２２は、照射部２１が被検部位に測定光を照射することによって、生体測定出力としての、被検部位から散乱される散乱光（検出光）を受光する。受光部２２は、ＰＤ（フォトダイオード：Photo Diode）により構成される。測定部１２は、受光部２２において受光した散乱光の光電変換信号を制御部１３に送信する。
【００２３】
測定部１２は、例えば、接触圧力が上述の所定の範囲にあるときに起動されてもよい。測定装置１０は、接触圧力が上述の所定の範囲にあるときの生体測定出力に基づいて生体情報を測定するため、測定部１２は、少なくとも接触圧力が上述の所定の範囲にあるときの生体測定出力を取得すれば十分である。また、測定部１２が、接触圧力が上述の所定の範囲にあるときに起動されることにより、生体測定出力を取得する必要がないときに、照射部２１からレーザ光が照射され、周囲にレーザ光が漏れることを防ぐことができる。
【００２４】
制御部１３は、測定装置１０の各機能ブロックをはじめとして、測定装置１０の全体を制御および管理するプロセッサである。制御部１３は、制御手順を規定したプログラムを実行するＣＰＵ（Central Processing Unit）等のプロセッサで構成され、かかるプログラムは、例えば記憶部１５または外部の記憶媒体等に格納される。
【００２５】
また、制御部１３は、測定部１２による生体測定出力の取得が終了したか否かを判定する。制御部１３は、例えば、測定部１２が生体測定出力の取得を開始してから、所定時間経過後に、生体測定出力の取得が終了したと判断してもよい。また、制御部１３は、例えば、測定部１２が、生体情報を測定するために十分な生体測定出力を取得したとき、生体測定出力の取得が終了したと判断してもよい。
【００２６】
また、制御部１３は、接触部１６における接触圧力が所定の範囲のときの生体測定出力に基づいて、生体情報を測定してもよい。制御部１３は、例えば、受光部２２が受光した散乱光の強度の変化に基づいて、血流量を測定するアルゴリズムまたはテーブル等を使用して、生体情報としての血流量を測定する。また、制御部１３は、接触圧力が所定の範囲のときの生体測定出力に基づいて生体情報を測定するために、圧力検出部１１が検出した接触圧力に基づいて、接触圧力が所定の範囲であるか否かを判断できる。
【００２７】
ここで、制御部１３による、ドップラーシフトを利用した血流量測定技術について説明する。制御部１３は、血流量を測定する際に、生体の組織内に照射部２１からレーザ光を照射し、受光部２２により生体の組織内から散乱された散乱光を受光する。そして、制御部１３は、受光されたレーザ光の測定結果に基づいて血流量を演算する。
【００２８】
生体の組織内において、動いている血球から散乱された散乱光は、血液中の血球の移動速度に比例したドップラー効果による周波数シフト（ドップラーシフト）を受ける。制御部１３は、静止した組織からの散乱光と、動いている血球からの散乱光との光の干渉によって生じるうなり信号（ビート信号ともいう）を検出する。このうなり信号は、強度を時間の関数として表したものである。そして、制御部１３は、このうなり信号を、パワーを周波数の関数として表したパワースペクトルにする。このうなり信号のパワースペクトルでは、ドップラーシフト周波数は血球の速度に比例し、パワーは血球の量に対応する。そして、制御部１３は、うなり信号のパワースペクトルに周波数をかけて積分することにより血流量を求める。
【００２９】
通知部１４は、接触部１６における接触圧力に関する情報などを、被検者であるユーザに通知する。測定装置１０は、接触圧力が所定の範囲のときの生体測定出力に基づいて生体情報を測定することができる。すなわち、接触圧力が所定の範囲となることが生体情報を測定するための条件とすることができる。そこで、通知部１４は、接触圧力に関する情報を例えば音声で通知することによって、接触圧力を所定の範囲に調整するように、ユーザに促すことができる。
【００３０】
通知部１４は、接触圧力を所定の範囲に調整することを促すという観点に鑑み、接触圧力に関する情報として、接触圧力が所定の範囲にあるか否かに関する情報を通知することができる。これにより、ユーザの利便性を高めることができる。
【００３１】
例えば、通知部１４は、スピーカを有し、音声の出力によって接触圧力に関する情報を通知できる。また、例えば、通知部１４は、表示部１７への画像の表示によって接触圧力に関する情報を通知できる。また、通知部１４は、表示部１７に文字を表示して、接触圧力に関する情報を通知してもよい。また、例えば、通知部１４は、発光素子を有し、発光素子の発光によって接触圧力に関する情報を通知できる。
【００３２】
また、例えば、通知部１４は、バイブレータや圧電素子等の振動部を有し、振動部の振動によって接触圧力に関する情報を通知できる。しかしながら、通知部１４が振動により通知を行う場合には、振動によって被検部位の圧力が変化しないことが好ましい。
【００３３】
以上、通知部１４による、音の出力、画像の表示、発光または振動の出力の通知方法について説明したが、通知部１４による通知方法は、上述のものに限られない。また、通知部１４は、接触圧力が許容圧力の範囲外であるとき、許容圧力の範囲よりも接触圧力が強い場合と弱い場合とで、異なる方法により通知を行ってもよい。また、通知部１４は、複数の任意の通知方法を組み合わせて接触圧力を通知してもよい。以下、本実施形態における特徴について記載するため、通知部１４は、スピーカなどを有し、後述する音声アシスト機能による音声情報を出力するものとして説明する。この場合、制御部１３が記憶部１５に記憶された音声情報を読み出すことにより、通知部１４から音声情報を出力することができる。
【００３４】
通知部１４は、さらに、適正圧力および許容圧力の少なくとも一方と、接触圧力との差に関する情報を音声により通知してもよい。
【００３５】
このように、通知部１４は、適正圧力および許容圧力の少なくとも一方と、接触圧力との差に関する情報を音声により通知することができる。これにより、ユーザは、接触部１６に接触させた指の圧力をどの程度加圧または減圧すればよいのかを容易に認識できる。そのため、ユーザは、接触圧力を調節しやすくなる。また、このような音声により、ユーザは、通知部１４の通知を確認しながら、接触圧力を適正圧力または許容圧力の範囲内に維持するよう調整しやすくなる。
【００３６】
また、通知部１４は、測定部１２により生体測定出力の取得を開始および終了したときに、ユーザに音声による通知を行うことができる。取得開始の通知を行うことにより、ユーザは、指の押圧状態を保持すべきことを認識でき、また、取得終了の通知を行うことにより、ユーザは、指を接触部１６から離してもよいことを認識できる。また、通知部１４は、生体情報の測定結果に関する情報を音声により通知してもよい。
【００３７】
記憶部１５は、半導体メモリ等で構成することができ、各種情報および測定装置１０を動作させるためのプログラム等を記憶するとともに、ワークメモリとしても機能する。また、本実施形態において、記憶部１５は、上述のように、通知部１４から出力される各種の音声情報を記憶する。記憶部１５に記憶する音声情報は、例えば音声合成により生成するものとしてもよいし、人間が実際に発声した音声をサンプリングしたものとしてもよい。特に、本実施形態においては、ユーザが測定装置１０を用いて生体情報を測定する際に、ユーザとのやり取りが想定される会話にかかる音声を各種記憶しておくのが好適である。
【００３８】
また、記憶部１５は、測定装置１０が測定した生体情報と、生体情報の測定時の接触圧力とを対応付けた履歴データ等を記憶する。制御部１３は、生体情報を測定する際に、圧力検出部１１が検出した接触圧力および測定部１２が測定した生体測定出力に基づき、履歴データを参照して生体情報を測定してもよい。
【００３９】
このように、制御部１３が、履歴データを参照して生体情報を測定するとき、測定部１２は、例えば、所定の時間に、所定の個数の生体測定出力を取得する。所定の時間および所定の個数は、それぞれ任意の時間および任意の個数とすることができ、例えば、測定部１２は、５秒間に、各１秒間の５回の測定を行うことにより、５つの生体測定出力を取得することができる。
【００４０】
また、履歴データを参照した他の生体情報の測定方法の一例として、制御部１３は、履歴データを参照して、５つの生体測定出力のそれぞれの接触圧力ごとに、生体情報の測定精度に応じた重みづけを決定してもよい。例えば、制御部１３は、測定精度が高い接触圧力に関する生体測定出力に、高い重みづけを行うことを決定することができる。そして、制御部１３は、測定部１２で５つの生体測定出力について、決定した重みづけを加味した加重平均を算出することにより、生体情報を測定することができる。
【００４１】
接触部１６は、ユーザが生体情報を測定するために、指等の被検部位を接触させる部分である。接触部１６は、例えば、板状の部材により構成できる。また、接触部１６は、少なくとも測定光および検出光に対して透明な部材により構成してもよい。圧力検出部１１は、接触部１６に指等が接触したときに、接触部１６にかかる圧力を検出して、検出した接触圧力を制御部１３に送信する。また、接触部１６は、指等の被検部位の接触を検出するため、例えばタッチセンサのような接触を検出可能な部材により構成するのが好適である。また、接触部１６は、指等の被検部位の接触を検出することができれば、例えば温度センサのように間接的に接触を検出可能な部材により構成してもよい。さらに、圧力検出部１１が接触部１６に対する圧力を検出している際に、接触部１６が接触を検出しているものとして処理することもできる。この場合、接触部１６は、タッチセンサまたは温度センサのように直接接触または温度などを検出可能な部材で構成する必要はない。
【００４２】
表示部１７は、例えば周知のディスプレイにより構成される表示デバイスである。表示部１７は、例えば制御部１３が測定した生体情報を表示する。表示部１７は、例えば液晶ディスプレイ（ＬＣＤ）または有機ＥＬディスプレイなど、各種の表示デバイスにより構成することができる。
【００４３】
振動部１８は、振動を発生することにより、例えば接触部１６などの測定装置１０におけるいずれかの部位を振動させて、被検者（ユーザ）に各種の触感を呈示することができる。振動部１８は、制御部１３から供給される所定の駆動信号により、各種の振動を発生することができる。特に、測定装置１０を備える電子機器を携帯電話またはスマートフォンなどの通信機器として実現する場合、振動部１８は、バイブレーションの機能を提供する。これにより、測定装置１０を備える通信機器は、通話の着信時および電子メールの受信時などに、音の発生に代えて、または音の発生とともに、ユーザに通話の着信および電子メールの受信などを知らせることができる。本実施形態に係る振動部１８は、振動を発生するものであれば、任意の構成を採用することができる。
【００４４】
通信部１９は、有線または無線を介して想定装置１０の外部と信号を送受信することにより、各種情報の交換を行う。すなわち、通信部１９は、有線または無線による通信を行う。特に、測定装置１０を備える携帯電話またはスマートフォンのような通信機器においては、通信部１９は、基地局と通信することにより、電話の発着信および電子メールの送受信などを行う。本実施形態において、通信部１９は、各種の任意の無線通信手段などを用いて構成することができるため、より詳細な説明は省略する。
【００４５】
音声入力部２０は、ユーザの発生する音声に基づく音声情報を検出する。音声入力部２０は、例えば任意のマイクロフォンなどを用いて構成することができる。音声入力部２０に入力される音声情報は、制御部１３に供給される。
【００４６】
次に、本実施形態に係る測定装置１０の動作について説明する。
【００４７】
以下、本実施形態に係る測定装置１０は、例えば携帯電話またはスマートフォンのような、特に通信機器とすることができる電子機器に備えられたものとして説明する。このため、測定装置１０のユーザは、測定装置１０を用いて生体情報を測定するのみならず、例えば電話の通話をしたり、電子メールを作成して送信したりすることもできる。しかしながら、以下、本実施形態に係る測定装置１０を用いて生体情報を測定する例について説明する。
【００４８】
図３は、本実施形態に係る測定装置１０の動作の例を説明するフローチャートである。
【００４９】
図３に示す動作が開始すると、測定装置１０の制御部１３は、まず、音声アシスト機能を起動する（ステップＳ１１）。
【００５０】
本実施形態において、「音声アシスト」機能とは、音声入力部２０に入力されたユーザの発話による音声情報に基づく処理を行う機能である。例えば、音声入力部２０に入力された音声情報により、測定装置１０が行うべき処理が一意に判定される場合、制御部１３は当該処理を実行する。このように処理を行う際に、制御部１３は、音声を用いてユーザに確認を求めてもよい。また、音声入力部２０に入力された音声情報により、測定装置１０が行うべき処理が一意に判定されない場合、測定装置１０が行うべき処理を限定させるため、制御部１３は、ユーザに質問を返答するように制御する。
【００５１】
このように、制御部１３がユーザに確認または返答を求める際には、制御部１３は、表示部１７にダイアログを表示して、ユーザに操作入力を促してもよいが、確認または返答そのものを音声情報として、通知部１４から出力することもできる。このようにすれば、測定装置１０を使用するユーザは、所定の処理については、測定装置１０と音声のやり取りを行うだけで、所望の動作を実行させることができる。
【００５２】
例えば、ユーザが「メール作成」と音声入力部２０に向かって発声すると、制御部１３は、その音声情報を解析して、当該音声情報に関連付けられた電子メール作成アプリケーションソフトウェア（以下、「アプリケーション」と略記する）を起動させる。また、この際に、制御部１３は、音声により「メール作成アプリケーションを起動しますか」などの音声を通知部１４から出力して、ユーザに確認を求めてもよい。この場合、ユーザが「はい」などの返答を返すことにより、制御部１３は、電子メール作成アプリケーションを起動する。
【００５３】
この音声アシスト機能は、予め規定された様々な会話のアルゴリズムを記憶部１５に記憶しておき、制御部１３は、ユーザの発する音声に基づく音声情報に応じて、適切な返答を行うように制御する。このような機能は、測定装置１０が実行するアプリケーションとして実現することができる。
【００５４】
ステップＳ１１においては、ユーザの操作入力を検出することにより、音声アシスト機能を起動してもよいし、ユーザが音声入力部２０に向けて「音声アシスト」などと発声したのを検出して、制御部１３が音声アシスト機能を起動してもよい。または、測定装置１０が動作を開始した時に、それに伴って音声アシスト機能も起動するように設定することもできる。
【００５５】
ステップＳ１１において音声アシスト機能が起動したら、制御部１３は、生体情報の測定を指示する旨の音声情報を検出したか否かを判定する（ステップＳ１２）。ここで、生体情報の測定を指示する旨の音声情報とは、ユーザが音声入力部２０に向けて「測定開始」などと発声する音声情報とすることができる。他にも、例えば、「生体情報を測定したい」、「血流を測定せよ」、または、単に「測定」など、各種の指示に対応可能にするのが好適である。ステップＳ１２においては、制御部１３は、音声入力部２０が検出した音声情報を、予め規定された音声情報のパターンと照合することにより、ユーザの意図する指示を特定することができる。
【００５６】
ステップＳ１２において測定の指示を検出したら、制御部１３は、被検者（ユーザ）の指などが接触部１６に接触しているか否かを判定する（ステップＳ１３）。ステップＳ１３においては、上述したように、タッチセンサ、温度センサ、または圧力検出部１１などによって、被検者（ユーザ）の指などが接触部１６に接触しているか否かを判定することができる。ステップＳ１３において接触部１６に被検者（ユーザ）の指などが接触していない時、制御部１３は、生体情報測定アプリケーションを通常起動する（ステップＳ１４）。
【００５７】
生体情報測定アプリケーションにおいては、通常起動すると、起動した瞬間にユーザの準備が整わないうちに測定が開始してしまうという事態を回避するため、ユーザによる測定開始の旨の操作入力を待って測定が開始される仕様にすることが想定される。したがって、ステップＳ１４においても、生体情報測定アプリケーションを通常起動した時、測定の準備は整うものの、測定そのものはまだ開始しないものとする。
【００５８】
ステップＳ１４において生体情報測定アプリケーションを通常起動したら、制御部１３は、ユーザによる測定開始の旨の操作入力がされたか否かを判定する（ステップＳ１５）。ステップＳ１５においては、例えば表示部１７に、「生体情報の測定を開始しますか？（はい／いいえ）」などのダイアログを表示して、ユーザに操作入力を促してもよいし、あるいは音声アシスト機能により、ユーザが「開始」などと発生するのを検出してもよい。
【００５９】
ステップＳ１５において測定開始の旨の操作入力が検出されたら、制御部１３は、通常の処理の流れに沿って、測定部１２を起動して（ステップＳ１６）、生体情報の測定を開始する（ステップＳ１７）。
【００６０】
ステップＳ１４〜ステップＳ１７においては、ユーザが指などを接触部１６に接触させてないまま測定を開始する状況を想定している。したがって、この場合、制御部１３は、例えば「所定の位置に指を押しあてて下さい」、「測定の準備はできましたか？」などのような案内を表示部１７などに表示するのが好適である。
【００６１】
一方、ステップＳ１３において接触部１６に被検者（ユーザ）の指などが接触している時、制御部１３は、圧力検出部１１が適切な押圧を検出しているか否かを判定する（ステップＳ１８）。ステップＳ１８における適切な圧力とは、例えば上述したように、接触部１６における接触圧力が所定の範囲のとき、特に、上述した適正圧力または許容圧力の範囲とすることができる。このように、ステップＳ１８においては、生体測定出力に基づく生体情報が適切に測定可能である圧力の範囲を、圧力検出部１１が検出する圧力と対応付けて定めておくのが好適である。
【００６２】
ステップＳ１８において適切な押圧が検出されていない時、制御部１３は、音声アシスト機能により、適切な圧力による押圧がなされるようにユーザを案内する音声情報を通知部１４から出力するように制御する（ステップＳ１９）。ステップＳ１９においては、音声アシストにより、例えば「もう少し強く押しあてて下さい」または「押す力を弱めて下さい」などの押圧の強弱に関する案内を行うことができる。また、ステップＳ１９においては、押圧の強弱のみならず、例えば押圧力の維持について、あるいは測定の時間についてなど、各種の音声情報による音声アシストを行うことができる。このようにして、ステップＳ１８において適切な押圧が検出されていない時は、適切な押圧になるまで、ステップＳ１９において音声アシストによる案内が行われる。
【００６３】
一方、ステップＳ１８において適切な押圧が検出された時、制御部１３は、生体情報測定アプリケーションを起動する（ステップＳ２０）。ステップＳ２０において測定アプリケーションを起動したら、制御部１３は、測定部１２を起動して（ステップＳ１６）、生体情報の測定を開始する（ステップＳ１７）。
【００６４】
ステップＳ２０に進む場合は、ユーザが指などを接触部１６に接触させており、さらに適切な押圧を行っている状況を想定している。この場合、制御部１３は、生体情報測定アプリケーションおよび測定部１２を起動して測定を開始するため、ユーザは接触部１６を押圧している状態からは、何らの入力も行わず、音声を発することもなく、即座に自動で測定が開始される。
【００６５】
このように、本実施形態に係る測定装置１０において、制御部１３は、生体測定出力に基づいて生体情報を測定するとともに、入力された音声情報に基づく処理を行う。また、制御部１３は、生体情報の測定を開始する旨の音声情報が入力された際、圧力検出部１１が検出する接触部１６における被検部位の接触圧力が所定の条件を満たしている時は、生体情報の測定を開始するように制御する。一方、制御部１３は、生体情報の測定を開始する旨の音声情報が入力された際、圧力検出部１１が検出する接触部１６における被検部位の接触圧力が所定の条件を満たしていない時、接触部１６における被検部位の接触圧力についての音声情報を出力するように制御する。また、制御部１３は、生体情報の測定を開始する旨の音声情報が入力された際、接触部１６に被検部位が接触していない時は、生体情報の測定を開始する操作入力に基づいて、生体情報の測定を開始するように制御する。
【００６６】
本実施形態に係る測定装置１０は、ユーザの発声によって、生体情報の測定を開始することができる。また、測定装置１０は、測定開始の旨の音声情報に基づいて、ユーザの指などの適切な接触および押圧を検出していれば、即座に測定を開始する。したがって、測定の開始までにユーザに求める手間および時間を削減することができる。また、測定装置１０は、ユーザの指などの適切な接触および押圧を検出していなければ、音声の案内により、ユーザの指などの適切な接触および押圧が行われるように促す。したがって、ユーザに対する負担を軽減して利便性を向上させることができ、測定に対する信頼性を向上させることが期待できる。
【００６７】
なお、本発明は、上記実施形態にのみ限定されるものではなく、幾多の変形または変更が可能である。例えば、各構成部、各ステップ等に含まれる機能等は論理的に矛盾しないように再配置可能であり、複数の構成部またはステップ等を１つに組み合わせたり、或いは分割したりすることが可能である。
【００６８】
例えば、上述した音声アシスト機能は、本実施形態で説明した測定に限るものではなく、各種のアプリケーションの起動など、種々のアシストとしてユーザを補助する機能を想定している。しかしながら、音声アシストの主な機能としては、ユーザの発声に応じて、関連が高いと考えられるアプリケーションとして予め規定されたものを起動させるような動作を想定している。したがって、音声アシスト機能において、ユーザの発声に応じて起動させるべきアプリケーションが一意に決定できない場合、いくつかのアプリケーションをユーザに提示した上で、起動するアプリケーションをユーザに選択させるような機能を提供してもよい。
【００６９】
例えば、図３で説明したステップＳ１４に進む場合においては、「測定」の旨の音声情報が検出されながら、ユーザが指などを接触部１６に接触させてない状況となる。この場合、制御部１３は、生体情報測定アプリケーションを含め関連すると考えられる他のアプリケーションを一覧表示した上で、起動するアプリケーションをユーザに選択させるようにしてもよい。
【００７０】
また、例えば、上記各実施形態に係る測定装置１０は、様々な電子機器に搭載することができる。図４は、図１の測定装置１０を搭載した携帯電話機の一例を示す図である。図４においては、測定装置１０を搭載した電子機器の例として携帯電話機を示してあるが、測定装置１０を搭載した電子機器は、例えばスマートフォンなどの各種通信機器とすることができる。図４（ａ）に示すように、携帯電話機４０は、その背面側に測定装置１０を備える。また、図４（ａ）に一例として示す携帯電話機４０は、その背面側に背面ディスプレイ４１を備える。背面ディスプレイ４１には、例えば、接触圧力に関する情報がインジケータとして表示される。このように、測定装置１０が電子機器に搭載される場合、通知部１４は、電子機器から接触圧力に関する情報を通知してもよい。すなわち、図４においては、通知部１４を背面ディスプレイ４１として構成した例を示している。
【００７１】
また、図６において、接触部１６を背面ディスプレイ４１として構成してもよい。例えば第２実施形態において、背面ディスプレイ４１は、生体情報の測定中に測定装置１０が振動も音も発生しないようにしている際に、背面ディスプレイ４１における表示によって、通話の着信または電子メールの受信などを通知することができる。また、例えば第３実施形態において、背面ディスプレイ４１は、ステップＳ３２またはステップＳ３４で出力される測定の結果および当該測定の信頼度に関する情報を表示してもよい。
【００７２】
図４（ｂ）は、ユーザが、測定装置１０を備える携帯電話機４０を使用して、生体情報の測定を行う場合の一例を示す図である。ユーザは、指を接触部１６に接触させることにより、測定装置１０に生体情報を測定させる。生体情報の測定を行う場合、通知部１４は、背面ディスプレイ４１に、接触圧力に関する情報などをインジケータとして表示することができる。なお、接触圧力に関する情報の表示は、背面ディスプレイ４１により行うものに限られない。例えば、通知部１４は、携帯電話機４０が備えるスピーカから音を出力させたり、携帯電話機４０が備える発光素子を発光させたり、携帯電話機４０が備える振動部を振動させたりすることにより、接触圧力に関する情報を表示することができる。
【００７３】
ユーザが、測定装置１０を備える携帯電話機４０を使用して、生体情報の測定を行う場合、測定装置１０は、ユーザが携帯電話機４０を使用して生体情報を測定するための専用アプリケーションを起動させることにより、生体情報の測定を開始してもよい。また、測定装置１０は、接触部１６において接触圧力を検知したときに、自動的に生体情報の測定を開始してもよい。この場合、ユーザは、アプリケーションを起動させることなく、指を接触部１６に接触させることにより、生体情報の測定を開始できる。
【００７４】
また、ユーザが、測定装置１０を備える携帯電話機４０を使用して、生体情報の測定を行ったとき、測定装置１０は、様々な方法でユーザに測定結果を通知することができる。例えば、測定装置１０は、測定した血流量の値に基づいて、所定の閾値を基準にして、血液が「さらさら」であるかまたは「どろどろ」であるかを、携帯電話機４０が備えるディスプレイに表示してもよい。また、例えば、測定装置１０は、測定した血流量の値に基づいて、所定の閾値を基準にして、異なる音を再生してもよい。また、測定装置１０は、例えば、測定した血流量の値に基づいて、所定の閾値を基準にして、携帯電話機４０の操作性を変化させてもよい。この場合、ユーザは、携帯電話機４０を操作したときに、その操作性によって測定結果を知ることができる。
【００７５】
また、測定装置１０は、生体情報の測定を行ったとき、例えば測定が終了したことを示す通知のみを行ってもよい。測定装置１０は、例えば、携帯電話機４０の振動部を振動させることにより、このような通知を行うことができる。この場合、ユーザは、測定結果を知りたいときに、携帯電話機４０を操作して、結果を携帯電話機４０に表示させることができる。
【００７６】
また、例えば、携帯電話機４０における測定装置１０の配置は、図４に示すものに限定されない。測定装置１０は、例えば、携帯電話機４０の背面における他の部分に配置されてもよく、また、携帯電話機４０の表面または側面等に配置されてもよい。
【００７７】
また、測定装置１０が搭載される電子機器は、携帯電話機４０に限られない。例えば、携帯型ミュージックプレイヤ、ノートパソコン、腕時計、タブレット端末、ゲーム機などの多岐にわたる任意の電子機器に測定装置１０を搭載できる。
【００７８】
また、上記実施の形態では、圧力検出部１１、生体センサ１２、制御部１３及び測定部１６等の全ての機能部を１つの装置上で実現するとして説明したが、本発明はこの態様に限定されるものではない。本発明は、例えば、図５に示すように、生体測定出力を取得し、測定結果を通知する測定端末１０と、生体測定出力に基づいて生体情報を測定するサーバ装置５０とにより、測定システムとして構成できる。
【００７９】
このように、本発明を測定システムとして構成した場合、測定端末１０は、圧力検出部１１において、接触部１６に接触する被検部位の接触圧力を測定し、測定部１２は、被検部位の生体測定出力を取得する。そして、測定端末１０は、通信部１９から、測定端末１０と有線若しくは無線又はこれらの組み合わせからなるネットワークで接続されたサーバ装置５０に、測定した接触圧力と取得した生体測定出力とを送信する。サーバ装置５０は、サーバ制御５３において、サーバ通信部５８を介して受信した生体情報出力に基づき、生体情報を測定する。そして、サーバ装置５０は、測定した生体情報を、サーバ通信部５８を介して測定端末１０に送信する。測定端末１０は、受信した生体情報を通知部１４により、ユーザに通知する。
【００８０】
このように、本発明を測定システムとして構成した場合、全ての機能部を１つの測定装置上で実現する場合に比べて、測定端末１０の小型化等を実現することができる。
【００８１】
また、上述した音声アシスト機能は、測定装置１０の音声入力部２０から取得した音声情報をサーバ装置５０に送信し、サーバ装置５０が、当該音声情報の解析および対応する処理を決定する制御を行うようにすることもできる。このようにすれば、測定装置１０の制御部１３は、音声情報の解析および対応する処理の決定に係る処理を行う必要がなくなり、処理負荷を低減することができる。
【００８２】
さらに、上述した実施形態においては、測定装置１０が、音声入力部２０および通知部１４を備える態様について説明した。しかしながら、本実施形態に係る測定装置１０は、音声入力部２０および／または通知部１４を備えずに、例えばマイクロフォンおよび／またはスピーカなどを外部機器として接続する構成とすることもできる。この場合、制御部１３は、外部から入力された音声情報に基づいて処理を行うとともに、外部に音声情報を出力するための制御を行う。
【００８３】
また、上述した各実施形態は、測定装置１０または測定装置１０を備える電子機器の発明としてのみならず、そのような装置または機器、あるいはそのような装置または機器を含むシステムにおいて測定を行う方法の発明としても実施することができる。
【符号の説明】
【００８４】
１０  測定装置
１１  圧力検出部
１２  測定部（生体センサ）
１３  制御部
１４  通知部
１５  記憶部
１６  接触部
１７  表示部
１８  振動部
１９  通信部
２０  音声入力部
２１  照射部
２２  受光部
４０  携帯電話機
４１  背面ディスプレイ
５０  サーバ装置
５３  サーバ制御部
５５  サーバ記憶部
５８  サーバ通信部
【図１】
2016007504.tif 000003
【図２】
2016007504.tif 000004
【図３】
2016007504.tif 000005
【図４】
2016007504.tif 000006
【図５】
2016007504.tif 000007